(57)【特許請求の範囲】
【請求項１】
内燃機関の駆動軸によって駆動される第１発電機と、この第１発電機で発生した電気を充電する第１充電器と、この第１充電器からの電気を電装品に供給する電気配線を有する第１電気供給システムを備えた自動車用電源システムにおいて、
前記内燃機関と駆動輪との間の伝達軸によって直接又は間接に駆動される第２発電機と、この第２発電機で発生した電気を充電する第２充電器と、この第２充電器からの電気を前記第１充電器に供給する電気配線を有する第２電気供給システムを備えると共に、
前記第２発電機と前記第２充電器との間の電気配線に第１スイッチを設け、前記第２充電器と前記第１充電器との間の電気配線に第２スイッチを設け、
更に、前記内燃機関の排気通路に設けられた排気ガス処理装置のディーゼルパティキュレートフィルタの手動再生中の場合においては、前記第１スイッチを断線状態にするとともに前記第２スイッチを通電状態にして前記第１発電機で発電して前記第１充電器と前記第２充電器への充電を行う手動再生中制御を行い、
前記ディーゼルパティキュレートフィルタの手動再生中でも自動再生中でもない場合においては、
車両の通常走行時は前記第１電気供給システムで給電する通常走行時制御と、
車両の制動時には前記第２発電機で発生した電気を前記第２充電器に充電する制動時制御と、
車両のアイドルストップスタート装置の作動時は前記第２充電器に充電した電気を前記第１充電器に供給するアイドルストップスタート制御時制御とを
行う電気制御装置を備えたことを特徴とする自動車用電源システム。
【請求項２】
前記電気制御装置が、
前記ディーゼルパティキュレートフィルタの手動再生中ではなく、かつ、前記ディーゼルパティキュレートフィルタの自動再生中である場合においては、前記第２発電機で発電して前記第２充電器への充電を行う自動再生中制御を行うように構成されたことを特徴とする請求項１に記載の自動車用電源システム。
【請求項３】
請求項１又は請求項２に記載の自動車用電源システムを備えた車両。
【請求項４】
内燃機関の駆動軸によって駆動される第１発電機で発生した電気を第１充電器に充電する第１電気供給システムと、前記内燃機関と駆動輪との間の伝達軸によって直接又は間接に駆動される第２発電機で発生した電気を第２充電器に充電する第２電気供給システムを有する自動車用電源システムを備えた車両の電気供給方法において、
前記内燃機関の排気通路に設けられた排気ガス処理装置のディーゼルパティキュレートフィルタの手動再生中の場合においては、前記第１発電機で発電して前記第１充電器と前記第２充電器への充電を行う手動再生中制御を行い、
前記ディーゼルパティキュレートフィルタの手動再生中でも自動再生中でもない場合においては、
車両の通常走行時には前記第２発電機では電気を発生させない通常走行時制御と、
車両の制動時には前記第２発電機で電気を発生させて前記第２充電器に充電する制動時制御と、
車両のアイドルストップスタート装置の作動時には、前記第２充電器に充電した電気を前記第１充電器に供給するアイドルストップスタート制御時制御とを
行うことを特徴とする車両の電気供給方法。
【請求項５】
前記ディーゼルパティキュレートフィルタの手動再生中ではなく、かつ、前記ディーゼルパティキュレートフィルタの自動再生中である場合においては、前記第２発電機で発電して前記第２充電器への充電を行う自動再生中制御を行うことを特徴とする請求項４に記載の車両の電気供給方法。
【発明の詳細な説明】
【技術分野】
【０００１】
本発明は、内燃機関のエネルギーの一部を電気に変換して使用する自動車用電源システムと、それを備えた車両及び車両の電気供給方法に関する。
【背景技術】
【０００２】
図５に、従来技術の自動車用電源システム１０Ｘの構成を示す。この自動車用電源システム１０Ｘはトラック用の電源として使用され、発電機（ジュネレータ）１１が内燃機関（エンジン）２によって駆動されることで電力を発生し、発生した電力の電圧をレギュレータ１２で約２８Ｖに保ってヘッドライトやハザードランプ等の電装品２０に供給する。また、使用されずに残った電力は、２４Ｖの充電器（バッテリ：蓄電器）１３に充電（蓄電）され、内燃機関２の停止時や始動時に使用される。
【０００３】
しかしながら、アイドリングストップ技術の進展に伴い、アイドリングストップスタート（ＩＳＳ）装置が作動してアイドリングストップしているとき等の内燃機関が運転を停止している期間においても電装品が使用されているため、電装品による電気の使い過ぎによるバッテリ上がりが発生して、内燃機関の再始動ができなくなる場合が生じるという問題や、充電器の充電量が不十分な状態で内燃機関が発生するエネルギーを使用して発電すると燃費が悪くなるという問題が発生してきた。
【０００４】
これに関連して、キー始動操作による通常始動時のスタータ用電源とするメインバッテリとは別に、アイドルストップ制御の再始動時にスタータ電源とする専用のサブバッテリを搭載したエンジンの自動停止装置が提案されている（例えば、特許文献１参照）。
【０００５】
しかしながら、このエンジン自動停止装置のサブバッテリは自動停止時の再始動専用とされ、スタータにしか電力を供給しないようにして放電を抑えており、アイドリングストップ時の電装品使用によるメインバッテリ上がりの問題を解決できない。また、サブバッテリはエンジン自動停止後にメインバッテリ側からの給電により充電しており、実質的には、サブバッテリの追加によるバッテリの容量の増加であると考えられる。
【先行技術文献】
【特許文献】
【０００６】
【特許文献１】特開２００８−３０９０４１号公報
【発明の概要】
【発明が解決しようとする課題】
【０００７】
本発明は、上記の状況を鑑みてなされたものであり、その目的は、充電器の充電容量の増加と、ディーゼルパティキュレートフィルタ（ＤＰＦ）の手動再生中に発電及び充電を行うことでバッテリ上がりを防止することができ、これにより、充電器の充電状態が不十分な状態で内燃機関が発生するエネルギーを使用して発電することを回避できて燃費の悪化を抑制することができ、更に、アイドルストップスタート装置（ＩＳＳ装置）の作動時においても、内燃機関の始動時の電力消費や電装品における電力消費を賄うことができる自動車用電源、車両及び車両の電気供給方法を提供することにある。
【課題を解決するための手段】
【０００８】
上記の目的を達成するための本発明の自動車用電源システムは、内燃機関の駆動軸によって駆動される第１発電機と、この第１発電機で発生した電気を充電する第１充電器と、この第１充電器からの電気を電装品に供給する電気配線を有する第１電気供給システムを備えた自動車用電源システムにおいて、前記内燃機関と駆動輪との間の伝達軸によって直接又は間接に駆動される第２発電機と、この第２発電機で発生した電気を充電する第２充電器と、この第２充電器からの電気を前記第１充電器に供給する電気配線を有する第２電気供給システムを備えると共に、前記第２発電機と前記第２充電器との間の電気配線に第１スイッチを設け、前記第２充電器と前記第１充電器との間の電気配線に第２スイッチを設け、更に、前記内燃機関の排気通路に設けられた排気ガス処理装置のディーゼルパティキュレートフィルタの手動再生中の場合においては、前記第１スイッチを断線状態にするとともに前記第２スイッチを通電状態にして前記第１発電機で発電して前記第１充電器と前記第２充電器への充電を行う手動再生中制御を行い、前記ディーゼルパティキュレートフィルタの手動再生中でも自動再生中でもない場合においては、車両の通常走行時は前記第１電気供給システムで給電する通常走行時制御と、車両の制動時には前記第２発電機で発生した電気を前記第２充電器に充電する制動時制御と、車両のアイドルストップスタート装置の作動時は前記第２充電器に充電した電気を前記第１充電器に供給するアイドルストップスタート制御時制御とを行う電気制御装置を備えて構成される。
【０００９】
つまり、第１発電機（ＡＣＧ）と第１充電器（バッテリ）の他にもう一組の第２発電機と第２充電器を備え、内燃機関の排気通路に設けられた排気ガス処理装置のディーゼルパティキュレートフィルタ（ＤＰＦ）の手動再生中に、第１発電機で発電して第１充電器と第２充電器への充電を行うことができるように構成する。
【００１０】
これにより、充電器の充電容量の増加とディーゼルパティキュレートフィルタの手動再生中における発電を行うことでバッテリ上がりを防止でき、また、充電器の充電状態が不十分な状態での内燃機関の運転を回避できて燃費の悪化を抑制することができるようになる。また、この構成により、比較的簡単な構成で、更に、車両の制動時に第２発電機による発電及び第２充電器への充電を行うことができ、アイドルストップスタート装置の作動時に第２充電器からの電気で内燃機関及び電装品における電力消費を賄うことができる。
【００１１】
上記の自動車用電源システムにおいて、前記電気制御装置が、前記ディーゼルパティキュレートフィルタの手動再生中ではなく、かつ、前記ディーゼルパティキュレートフィルタの自動再生中である場合においては、前記第２発電機で発電して前記第２充電器への充電を行う自動再生中制御を行うように構成される。
【００１２】
つまり、ディーゼルパティキュレートフィルタの自動再生中に、第２発電機により発電して第２充電器への充電を行うことができるように構成する。これにより、更に、ディーゼルパティキュレートフィルタの自動再生中における発電を行うことでよりよくバッテリ上がりを防止でき、また、充電器の充電状態が不十分な状態での内燃機関の運転をよりよく回避できて燃費の悪化を抑制することができるようになる。
【００１４】
また、この構成により、比較的簡単な構成で、更に、車両の制動時に第２発電機による発電及び第２充電器への充電を行うことができ、アイドルストップスタート装置の作動時に第２充電器からの電気で内燃機関及び電装品における電力消費を賄うことができる。
【００１５】
そして、上記の目的を達成するための本発明の車両は、上記の自動車用電源システムを備えて構成される。この構成によれば、充電器の充電容量の増加と、ディーゼルパティキュレートフィルタの手動再生中、ディーゼルパティキュレートフィルタの自動再生中及び制動時に第１発電機又は第２発電機で発電を行って第１発電機と第２充電器の両方若しくは一方に充電することでバッテリ上がりを防止でき、また、充電器の充電状態が不十分な状態での内燃機関の運転を回避できて燃費の悪化を抑制することができる。更に、第１発電機による発電が困難なアイドルストップスタート装置の作動時に第２充電器からの電気で電装品における電力消費を賄うことができる。
【００１６】
そして、上記の目的を達成するための本発明の車両の電気供給方法は、内燃機関の駆動軸によって駆動される第１発電機で発生した電気を第１充電器に充電する第１電気供給システムと、前記内燃機関と駆動輪との間の伝達軸によって直接又は間接に駆動される第２発電機で発生した電気を第２充電器に充電する第２電気供給システムを有する自動車用電源システムを備えた車両の電気供給方法において、前記内燃機関の排気通路に設けられた排気ガス処理装置のディーゼルパティキュレートフィルタの手動再生中の場合においては、前記第１発電機で発電して前記第１充電器と前記第２充電器への充電を行う手動再生中制御を行い、前記ディーゼルパティキュレートフィルタの手動再生中でも自動再生中でもない場合においては、車両の通常走行時には前記第２発電機では電気を発生させない通常走行時制御と、車両の制動時には前記第２発電機で電気を発生させて前記第２充電器に充電する制動時制御と、車両のアイドルストップスタート装置の作動時には、前記第２充電器に充電した電気を前記第１充電器に供給するアイドルストップスタート制御時制御とを行うことを特徴とする方法である。
【００１７】
つまり、第１発電機と第１充電器の他にもう一組の第２発電機と第２充電器を備え、通常走行時には、第１発電機で発電を行うと共に、ディーゼルパティキュレートフィルタの手動再生中に第１発電機で発電を行って第１充電器と第２充電器に充電するようにする。
【００１８】
これにより、充電器の充電容量の増加とディーゼルパティキュレートフィルタの手動再生中発電を行うことでバッテリ上がりを防止でき、また、充電器の充電状態が不十分な状態での内燃機関の運転を回避できて燃費の悪化を抑制することができる。つまり、通常走行時には、第１発電機で発電を行うと共に、更に、車両の制動時に第２発電機で発電を行って第２充電器に充電し、第１発電機による発電が困難なアイドルストップスタート装置の作動時には第２充電器からの電力で内燃機関及び電装品における電力消費を賄うようにする。これにより、制動時の発電を行うことでよりバッテリ上がりをよりよく防止でき、また、充電器の充電状態が不十分な状態での内燃機関の運転をよりよく回避できて燃費の悪化を抑制することができる。更に、第１発電機による発電が困難なアイドルストップスタート装置の作動時に第２充電器からの電気で電装品における電力消費を賄うことができる。
【００１９】
上記の車両の電気供給方法において、前記ディーゼルパティキュレートフィルタの手動再生中ではなく、かつ、前記ディーゼルパティキュレートフィルタの自動再生中である場合においては、前記第２発電機で発電して前記第２充電器への充電を行う自動再生中制御を行う。これにより、ディーゼルパティキュレートフィルタの自動再生中発電を行うことでバッテリ上がりをよりよく防止でき、また、充電器の充電状態が不十分な状態での内燃機関の運転をよりよく回避できて燃費の悪化を抑制することができる。
【発明の効果】
【００２３】
本発明に係る自動車用電源システム、車両及び車両の電気供給方法によれば、充電器の充電容量の増加とディーゼルパティキュレートフィルタの手動再生中の発電を行うことでバッテリ上がりを防止でき、また、充電器の充電状態が不十分な状態での内燃機関の運転を回避できて燃費の悪化を抑制することができる。更に、アイドルストップスタート装置（ＩＳＳ装置）の作動時においても内燃機関の始動時の電力消費や電装品における電力消費を賄うことができる。
【図面の簡単な説明】
【００２４】
【図１】本発明の第１の実施の形態の自動車用電源システムの構成を示す図である。
【図２】本発明の第２の実施の形態の自動車用電源システムの構成を示す図である。
【図３】本発明の車両の電力供給方法の制御フローの一例の前半を示す図である。
【図４】図３の制御フローの後半を示す図である。
【図５】従来技術の自動車用電源システムを示す図である。
【発明を実施するための形態】
【００２５】
以下、本発明に係る実施の形態の自動車用電源システム、車両、及び車両の電力供給方法について、図面を参照しながら説明する。
【００２６】
図１に示すように、本発明の第１の実施の形態の自動車用電源システム１０は、第１電気供給システム１０Ａに加えて、第２電気供給システム１０Ｂを備えて構成される。
【００２７】
第１電気供給システム１０Ａは、内燃機関（エンジン）２の駆動軸２ａによって駆動される第１発電機（ＡＧＣ：ジェネレータ）１１Ａと、この第１発電機１１Ａで発生した電気を調整する第１レギュレータ１２Ａと、この第１レギュレータ１２Ａで約２８Ｖに電圧調整された電気を充電する２４Ｖの第１充電器（バッテリ：蓄電器）１３Ａと、これらの装置１１Ａ、１２Ａ、１３Ａを接続する電気配線１４Ａａと、この第１充電器１３Ａのプラス極からの電気をヘッドライトやハザードランプ等の電装品２０に供給する電気配線２１を有して構成されている。なお、第１充電器１３Ａのマイナス極は電気配線１４Ａｂにより接地される。
【００２８】
また、第２電気供給システム１０Ｂは、内燃機関２と駆動輪３との間の伝達軸４によって直接又は間接に駆動される第２発電機１１Ｂと、この第２発電機１１Ｂで発生した電気を調整する第２レギュレータ１２Ｂと、この第２レギュレータ１２Ｂで約２８Ｖに電圧調整された電気を充電する２４Ｖの第２充電器１３Ｂと、これらの装置１１Ｂ、１２Ｂ、１３Ｂを接続する電気配線１４Ｂａと、この第２充電器１３Ｂからの電気を第１充電器１３Ａに供給する電気配線１４Ｂｂを有して構成されている。なお、第２レギュレータ１２Ｂは電気配線１４Ｂｃにより接地され、第２充電器１３Ｂのマイナス極は電気配線１４Ｂｄにより接地される。
【００２９】
この第２電気供給システム１０Ｂでは、更に、第２レギュレータ１２Ｂと第２充電器１３Ｂとの間の電気配線１４Ｂａ、即ち、第１発電機１１Ｂ側の電気配線１４Ｂａに第１スイッチ１５を設け、第２充電器１３Ｂのプラス極と第１充電器１３Ａのプラス極との間の電気配線１４Ｂｂに第２スイッチ１６を設けている。この第１スイッチ１５と第２スイッチ１６は、ＯＮの時に接線して通電可能状態となり、ＯＦＦの時に断線状態となり通電できなくなるＯＮ−ＯＦＦ構成のスイッチで形成する。
【００３０】
そして、この第１の実施の形態では、第２充電器１３Ｂの電圧を第１充電器１３Ａの電圧と同じ（ここでは、２４Ｖ）にして構成する。それと共に、第２充電器１３Ｂのプラス極を、電気配線１４Ｂａの第１スイッチ１５と、電気配線１４Ｂｂの第２スイッチ１６にそれぞれ接続する。また、第２スイッチ１６を第１充電器１３Ａのプラス極に接続し、第２充電器１３Ｂのマイナス極を電気配線１４Ｂｄにより接地する。
【００３１】
そして、更に、第１スイッチ１５と第２スイッチ１６を制御する電気制御装置１７を備えて構成する。この電気制御装置１７は、車両１の通常走行時は、第１スイッチ１５と第２スイッチ１６を共にＯＦＦにして断線状態にし、車両１の制動時には、第１スイッチ１５をＯＮにして通電可能状態にすると共に第２スイッチ１６をＯＦＦにして断線状態にして第２発電機１１Ｂで発生した電気を第２充電器１３Ｂに充電し、車両１のアイドルストップスタート（ＩＳＳ）装置１８の作動時は、第１スイッチ１５をＯＦＦにして断線すると共に第２スイッチ１６をＯＮにして通電可能状態にして第２充電器１３Ｂに充電した電気を第１充電器１３Ａに供給するように制御する。なお、この電気制御装置１７とアイドルストップスタート装置１８は通常エンジンコントロールユニット（ＥＣＵ）と呼ばれるエンジン全般の制御を行うエンジン制御装置３０に組み込んで構成する。
【００３２】
つまり、この第１の実施の形態の自動車用電源システム１０においては、第２電気供給システム１０Ｂの第２充電器１３Ｂの電圧を第１充電器１３Ａの電圧と同じにして構成すると共に、第２充電器１３Ｂを第１スイッチ１３Ａに接続すると共に、第２充電器１３Ｂを第２スイッチ１６を介して第１充電器１３Ａに接続して構成される。この構成によれば、比較的簡単な構成で第２充電器１３Ｂとその周囲の電気回路を構成できる。
【００３３】
次に、図２に示す本発明の第２の実施の形態の自動車用電源システム１００について説明する。この第２の自動車用電源システム１００は、第１の実施の形態の自動車用電源システム１００と同様に、第１電気供給システム１０Ａに加えて、第２電気供給システム１０Ｃを備えて構成される。しかしながら、この第２の実施の形態の自動車用電源システム１００では、以下の点が、第１の実施の形態の自動車用電源システム１０と異なる。
【００３４】
第２電気供給システム１０Ｃにおいて、第２充電器１３Ｂを第１充電器１３ＡのＮを正の整数としたときにＮ分の１の電圧（ここでは、Ｎ＝２で１２Ｖ）を有する第１充電ユニット１３Ｃと第２充電ユニット１３Ｄとを並列に配置して構成する。また、第１充電ユニット１３Ｃ及び第２充電ユニット１３Ｄのプラス極を電気配線１４Ｃａで第２レギュレータ１２Ｂに接続すると共に、電気配線１４ＣｂでＯＮ−ＯＦＦ構成の第２スイッチ１６に接続し、第１充電ユニット１３Ｃ及び第２充電ユニット１３Ｄのマイナス極を、電気配線１４Ｃｃで第１スイッチ１５Ｃに接続する。この第１スイッチ１５Ｃは、ＯＮ時に電気配線１４Ｃｄにより第２レギュレータ１３Ｂに接続し、ＯＦＦ時に電気配線１４Ｃｅにより接地するように構成される。
【００３５】
また、第１充電ユニット１３Ｃのマイナス極と第２充電ユニット１３Ｄのマイナス極を接続する電気配線１４Ｃｆに第１スイッチ１５Ｃと連動するＯＮ−ＯＦＦの第３スイッチ１５Ｃａと、第１充電ユニット１３Ｃのプラス極と第２充電ユニット１３Ｄのマイナス極を接続し、かつ、第２スイッチ１６と連動するＯＮ−ＯＦＦ構成の第４スイッチ１６ａを有する電気配線１４Ｃｇを設ける。つまり、第３スイッチ１５Ｃａと第４スイッチ１６ａは、ＯＮの時に接続して通電可能な状態となり、ＯＦＦの時に断線して通電できなくなる状態となるＯＮ−ＯＦＦ構成のスイッチとする。
【００３６】
そして、この第２の実施の形態では、接地に関しては、第１充電器１３Ａのマイナス極を電気配線１４Ａｂにより接地すると共に、第１スイッチ１５ｃがＯＦＦされたときのみ電気配線１４Ｃｅにより接地されるように構成される。その他の構成は、第１の実施の形態の自動車用電源システム１０と同じである。
【００３７】
言い換えれば、Ｎを正の整数（ここでは２）とした時に、第２電気供給システム１０Ｂの第２充電器１３Ｂを第１充電器１０ＡのＮ分の１（ここでは２分の１）の電圧を有するＮ個（ここでは２個）の充電ユニット１３Ｃ、１３Ｄを並列に配置して構成する。この充電ユニット１３Ｃ、１３Ｄのプラス極を第２発電機１１Ｂ側の電気配線１４Ｃａに接続すると共に、ＯＮ−ＯＦＦ構成の第２スイッチ１６に接続する。また、充電ユニット１３Ｃ、１３Ｄのマイナス極を、ＯＮ時に第２発電機１１Ｂ側の電気配線１４Ｃａに接続すると共にＯＦＦ時に接地する第１スイッチ１５に接続する。
【００３８】
更に、充電ユニット１３Ｃ、１３Ｄ同士をＯＮ−ＯＦＦ構成の第３スイッチ１５Ｃａをそれぞれ設けた電気配線１４ｃｆで並列に接続する。この第３スイッチ１５Ｃａは第１スイッチ１５と連動する。また、充電ユニット１３Ｃ、１３Ｄ同士をＯＮ−ＯＦＦ構成の第４スイッチ１６ａをそれぞれ設けた電気配線１４Ｃｇで直列に接続して構成する。この第４スイッチ１６ａは第２スイッチ１６と連動する。なお、図２の構成では正の整数Ｎを２としたが、それ以外の正の整数、例えば、３、４、５等でもよい。但し、実用上は２〜４程度である。
【００３９】
つまり、Ｎを正の整数とした時に、第２電気供給システム１０Ｂの第２充電器１３Ｂを第１充電器１３ＡのＮ分の１の電圧を有するＮ個の充電ユニット１３Ｃ、１３Ｄを並列に配置して構成し、充電ユニット１３Ｃ、１３Ｄのプラス極を、第２発電機１１Ｂ側の電気配線１４Ｃａに接続すると共に第２スイッチ１６に接続し、充電ユニット１３Ｃ、１３Ｄのマイナス極を、ＯＮ時に第２発電機１１Ｂ側の電気配線１４Ｃｄに接続すると共に、ＯＦＦ時に接地するように構成した第１スイッチ１５Ｃに接続し、更に、充電ユニット１３Ｃ、１３Ｄ同士を第１スイッチ１５Ｃと連動する第３スイッチ１５Ｃａをそれぞれ設けた電気配線１４Ｃｆで並列に接続すると共に、充電ユニット１３Ｃ、１３Ｄ同士を第２スイッチ１６と連動する第４スイッチ１６ａをそれぞれ設けた電気配線１４Ｃｇで直列に接続して構成される。この構成によれば、比較的簡単な構成で電圧が第１充電器１３ＡのＮ分の１の充電ユニット１３Ｃ、１３Ｄでもあっても第２充電器１３Ｂとその周囲の電気回路を構成できる。
【００４０】
次に、第１及び第２の実施の形態の自動車用電源システム１０、１００における車両の電気供給方法について、図３及び図４の制御フローを参照しながら説明する。この図３及び図４の制御フローは、車両１のキースイッチのＯＮにより起動される上位の制御フローから繰り返し呼ばれて実施され、車両１のキースイッチのＯＦＦにより終了となる上位の制御フローと共に終了する制御フローとして示してある。
【００４１】
この図３及び図４の制御フローが上位の制御フローから呼ばれてスタートすると、図３のステップＳ１で、内燃機関の排気通路（図示しない）に設けられた排気ガス処理装置のディーゼルパティキュレートディスポーザ（ＤＰＤ）ともいうディーゼルパティキュレートフィルタ（ＤＰＦ：図示しない）が手動再生中であるか否かを判定する。このステップＳ１の判定で、手動再生中の場合には（ＹＥＳ）、ステップＳ２に行き、手動再生中制御を行う。
【００４２】
このステップＳ２の手動再生制御は、第１スイッチ１５をＯＦＦにして断線状態にするとともに第２スイッチ１６をＯＮして通電状態にして第１発電機１１Ａで発電して第１充電器１３Ａと第２充電器１３Ｂへの充電を行う。そして、予め設定した所定の時間を経過した後リターンに行き、上位の制御フローに戻る。
【００４３】
このステップＳ１の判定で手動再生中ではない場合には（ＮＯ）、ステップＳ１０に行き、ステップＳ１０で、ディーゼルパティキュレートフィルタが自動再生中であるか否かを判定する。このステップＳ１０の判定で、自動再生中の場合には（ＹＥＳ）、ステップＳ２０に行き、自動再生中制御を行う。そして、予め設定した所定の時間を経過した後リターンに行き、上位の制御フローに戻る。
【００４４】
このステップＳ２０の自動再生中制御では、クラッチスイッチがＯＮ（クラッチペダルが踏まれていない状態）で、かつ、ニュートラルスイッチがＯＮ（変速機（Ｔ／Ｍ）がニュートラルではない状態）の状態になることを待って、第１スイッチ１５をＯＮにして通電状態にするとともに、第２スイッチ１６をＯＦＦにして断線状態にして第２発電機１１Ｂにより発電して第２充電器１３Ｂへの充電を行う。そして、予め設定した所定の時間を経過した後リターンに行き、上位の制御フローに戻る。
【００４５】
ステップ１０の判定で、ＤＰＦの自動再生中ではない場合においては（ＮＯ）、図４に示すＡから以降のステップＳ１１に行き、ステップＳ１１〜Ｓ１５で、車両の通常走行時には第２発電機１１Ｂでは電気を発生させない通常走行時制御（Ｓ１４）と、車両の制動時には第２発電機１１Ｂで電気を発生させて第２充電器１３Ｂに充電する制動時制御（Ｓ１５）と、車両のアイドルストップスタート装置の作動時には、第２充電器１３Ｂに充電した電気を第１充電器１１Ｂに供給するアイドルストップスタート制御時制御（Ｓ１２）とを行う。そして、予め設定した所定の時間を経過した後リターンに行き、上位の制御フローに戻る。
【００４６】
以下、図４に示すＡから以降の通常走行時制御（Ｓ１４）と、制動時制御（Ｓ１５）と、アイドルストップスタート制御時制御（Ｓ１２）について説明する。ステップＳ１１で、アイドルストップスタート装置（ＩＳＳ装置）１８が作動中であるか否かを判定する。このステップＳ１１の判定でアイドルストップスタート装置１８が作動中であれば（ＹＥＳ）、ステップＳ１２に行き、第１スイッチ１５をＯＦＦにして断線状態にし、第２スイッチ１６をＯＮにして通電可能状態（接続状態）にして、第２充電器１３Ｂに充電された電気を第２充電器１３Ｂから第１充電器１３Ａに供給して、アイドルストップスタート制御時制御の「第１充電器への給電」を行う。そして、予め設定した所定の時間を経過した後リターンに行き、上位の制御フローに戻る。
【００４７】
この場合に第２の実施の形態では、より詳細には、第１スイッチ１５ＣをＯＦＦにして接地状態にすると共に、連動する第３スイッチ１５ＣａをＯＦＦして断線状態にし、また、第２スイッチ１６と第４スイッチ１６ａをＯＮにして通電可能状態にして、第１充電ユニット１３Ｃと第２充電ユニット１３Ｄに充電された電気を直列状態に結線された第１充電ユニット１３Ｃと第２充電ユニット１３Ｄから第１充電器１３Ａに供給して、アイドルストップスタート制御時制御の「第１充電器への給電」を行う。そして、予め設定した所定の時間を経過した後リターンに行き、上位の制御フローに戻る。
【００４８】
また、ステップＳ１１の判定でアイドルストップスタート装置１８が作動中でなければ（ＮＯ）、ステップＳ１３に行き、車両１が通常走行中か否かを判定する。この判定は、「アクセルスイッチがＯＦＦ（踏まれていない状態）、かつ、クラッチスイッチがＯＮ（クラッチペダルが踏まれていない状態）、かつ、ニュートラルスイッチがＯＮ(変速機（Ｔ／Ｍ）がニュートラルでは無い状態)」であるか、あるいは、「ブレーキスイッチがＯＮ、（ブレーキペダルが踏まれた状態）」のどちらかでも無い場合には、通常走行中である（ＹＥＳ）と判定し、この場合は、ステップＳ１４に行き、第１スイッチ１５と第２スイッチ１６を共にＯＦＦにして断線状態にして、第２発電機１１Ｂでの発電を停止すると共に、第２充電器１３Ｂからの第１充電器１３Ａへの給電も停止して、通常走行時制御の「第２発電機の停止と充電器への給電の停止」を行う。そして、予め設定した所定の時間を経過した後リターンに行き、上位の制御フローに戻る。
【００４９】
この場合に第２の実施の形態では、より詳細には、第１スイッチ１５ＣをＯＦＦにして接地状態にすると共に、連動する第３スイッチ１５ＣａをＯＦＦして断線状態にし、また、第２スイッチ１６と第４スイッチ１６ａをＯＦＦにして断線状態にして、第２発電機１１Ｂでの発電を停止すると共に、第１充電ユニット１３Ｃと第２充電ユニット１３Ｄからの第１充電器１３Ａへの給電も停止して、通常走行時制御の「第２発電機の停止と充電器への給電の停止」を行う。そして、予め設定した所定の時間を経過した後リターンに行き、上位の制御フローに戻る。
【００５０】
また、ステップＳ１３の通常走行か否かの判定で、「アクセルスイッチがＯＦＦ、かつ、クラッチスイッチがＯＮ、かつ、ニュートラルスイッチがＯＮ」であるか、あるいは、「ブレーキスイッチがＯＮ」のどちらかである場合には、通常走行ではない（ＮＯ）、即ち、制動中であると判定する。この場合は、車両及び内燃機関が制動時にあるとして、ステップＳ１５に行き、第１スイッチ１５をＯＮにして通電可能状態にし、第２スイッチ１６をＯＦＦにして断線状態にして、第２発電機１１Ｂで発電して第２充電器１３Ｂに充電する制動時制御の「第２発電機での発電と第２充電器での充電」を行う。そして、予め設定した所定の時間を経過した後リターンに行き、上位の制御フローに戻る。
【００５１】
この場合に第２の実施の形態では、より詳細には、第１スイッチ１５Ｃと連動する第３スイッチ１５ＣａをＯＮにして接続状態とし、また、第２スイッチ１６と第４スイッチ１６ａをＯＦＦにして断線状態にして、第２発電機１１Ｂで発電して、並列に結線された第１充電ユニット１３Ｃと第２充電ユニット１３Ｄに充電する制動時制御の「第２発電機での発電と第２充電器での充電」を行う。そして、予め設定した所定の時間を経過した後リターンに行き、上位の制御フローに戻る。
【００５２】
この制御により、内燃機関の排気通路に設けられた排気ガス処理装置のディーゼルパティキュレートフィルタの手動再生中の場合においては、第１発電機１１Ａで発電して第１充電器１３Ａと第２充電器１３Ｂへの充電を行う手動再生中制御を行うことができる。
【００５３】
また、ディーゼルパティキュレートフィルタの手動再生中ではなく、かつ、ディーゼルパティキュレートフィルタの自動再生中である場合においては、第２発電機１１Ｂで発電して第２充電器１３Ｂへの充電を行う自動再生中制御を行うことができる。
【００５４】
更に、ディーゼルパティキュレートフィルタの手動再生中でも自動再生中でもない場合においては、車両１の通常走行時には、第１スイッチ１５と第２スイッチ１６を共にＯＦＦにして断線することで、第２発電機１１Ｂでは電気を発生させない通常走行時制御と、車両１の制動時には、第１スイッチ１５をＯＮにして通電可能とすると共に第２スイッチ１６をＯＦＦにして断線して第２発電機１１Ｂで発生した電気で第２充電器１３Ｂに充電する制動時制御と、車両１のアイドルストップスタート装置１８の作動時は、第１スイッチ１５をＯＦＦにして断線状態にすると共に第２スイッチ１６をＯＮにして通電可能状態にして第２充電器１３Ｂに充電した電気を第１充電器１３Ａに供給するアイドルストップスタート制御時制御とを行うことができる。
【００５５】
なお、第２の実施の形態においても、第１充電ユニット１３Ｃと第２充電ユニット１３Ｄと第３スイッチ１５Ｃａと第４スイッチ１６ａを含めた構成全体が第２充電器１３Ｂとなるので、第１の実施の形態と同様な電気供給方法となる。
【００５６】
そして、本発明の実施の形態の車両は、上記の自動車用電源システム１０、１００を備えて構成され、上記の電気供給方法を実施でき、自動車用電源システム１０、１００が奏することができる効果を奏することができる。
【産業上の利用可能性】
【００５７】
本発明の自動車用電源システム、車両、及び車両の電気供給方法によれば、充電器の充電容量の増加と、ディーゼルパティキュレートフィルタの手動再生時に発電及び充電を行うことでバッテリ上がりを防止することができ、これにより、充電器の充電状態が不十分な状態で内燃機関が発生するエネルギーを使用して発電することを回避できて燃費の悪化を抑制することができ、更に、アイドルストップスタート装置の作動時においても、内燃機関の始動時の電力消費や電装品における電力消費を賄うことができるので、数多くの自動車に利用できる。
【符号の説明】
【００５８】
１  車両
２  内燃機関（エンジン）
２ａ  駆動軸
３  駆動輪
４  伝達軸
１０、１００、１０Ｘ  自動車用電源システム
１０Ａ  第１電気供給システム
１０Ｂ、１０Ｃ  第２電気供給システム
１１Ａ  第１発電機
１１Ｂ  第２発電機
１２Ａ  第１レギュレータ
１２Ｂ  第２レギュレータ
１３Ａ  第１充電器
１３Ｂ  第２充電器
１３Ｃ  第１充電ユニット
１３Ｄ  第２充電ユニット
１４Ａａ、１４Ａｂ、１４Ｂａ〜１４Ｂｄ、１４Ｃａ〜１４Ｃg 電気配線
１５  第１スイッチ
１５Ｃａ  第３スイッチ
１６  第２スイッチ
１６ａ  第４スイッチ
１７  電気制御装置
１８  アイドルストップスタート装置（ＩＳＳ装置）
２０  電装品
２１  電気配線
３０  エンジン制御装置
【図１】
0005970843.tif 000002
【図２】
0005970843.tif 000003
【図３】
0005970843.tif 000004
【図４】
0005970843.tif 000005
【図５】
0005970843.tif 000006